Podtech/llm-jp-corpus-v4-ja_patent huggingface dataset:
(57)【要約】【課題】  本考案は、帽子内の防熱のために、帽子内にはめ込んだ防熱素材がずれたりするのを防ぎ、又帽子そのものを容易に洗濯できるようにする。【解決手段】  帽子本体ａの裏地部分に開口口ｂを設け、開口口ｂから防熱素材ｃを挿入できるようにして、帽子ａの表地と裏地との間に防熱素材を配置するようにした。【選択図】図３
0003220966.tif 000002
【実用新案登録請求の範囲】
【請求項１】
帽子内部の裏地部分に、防熱素材ｃを出し入れするための開口口ｂ設け、該開口口ｂを介して前記防熱素材ｃを帽子ａの表地と裏地の間に装着するようにしたことを特徴とする帽子。
【請求項２】
前記、防熱素材ｃは中心に向かって切込みｄを入れたシート状からなり、この防熱素材ｃを前記開口口ｂから挿入することを特徴とする請求項１記載の帽子。
【考案の詳細な説明】
【技術分野】
【０００１】  本考案は、帽子内側の裏地部分に開口口を設け、この開口口から防熱素材を挿入することにより、頭部の温度上昇を抑制できるようにした帽子に関するものである。
【背景技術】
【０００２】  従来より、夏場等の外気温度で体調を崩す事を防止できるように、帽子内の防熱のために、水に濡らしたり、高吸収ポリマーを装着するものがあった。
【先行技術文献】
【０００３】
【特許文献１】特開２００１−１４６６２１
【特許文献２】実用新案登録第３１３０４７２号
【考案の概要】
【考案が解決しようとする課題】
【０００４】  従来品は、防熱用として帽子の裏面に防熱素材をはめ込む事で防熱素材がずれたり、又は接着されたりしている事で帽子を洗濯できず衛生面でも問題であった。本考案は、使用者の環境条件によって、様々な防熱素材を帽子の表地と裏地の間に、着脱可能に装着でき前述の欠点を解決しようとするものである。
【課題を解決するための手段】
【０００５】  本考案に係る帽子は、帽子内部の裏地部分に、防熱素材ｃを出し入れするための開口口ｂ設け、該開口口ｂを介して前記防熱素材ｃを帽子ａの表地と裏地の間に装着できるようにしたことを特徴とする。【０００６】  また、本考案に係る帽子は、前記、防熱素材ｃは中心に向かって切込みｄを入れたシート状からなり、この防熱素材を前記開口口ｂから挿入することを特徴とする。
【考案の効果】
【０００７】  本考案は、帽子内部の裏地部分に開口口ｂを設けたことで、表地と裏地の間に防熱素材ｃを入れる事で確実に固定でき、防熱素材ｃのずれ防止になる。【０００８】  また、防熱素材ｃを固定出来る事で、輻射熱の遮断、帽子内部の湿度低下、頭部の冷却が可能になり外気温度による頭部への負担を軽減でき、且つ防熱素材ｃを容易に取り外しが可能な事で帽子の洗濯が可能になる。【０００９】  さらにまた、防熱素材ｃは中心に向かって切込みｄを入れたシート状になっている事で、帽子への装着が容易となる。
【図面の簡単な説明】
【００１０】
【図１】本考案による帽子の実施例である。
【図２】上記実施例における帽子を裏側から見た状態を示す。
【図３】上記実施例における帽子を裏返した状態を示す。
【図４】上記実施例における開口口を開けた状態を示す。
【図５】上記実施例において用いる防熱素材の実施例である。
【図６】図５の防熱素材を横から見た図である。
【図７】図３における開口口ｂを設ける位置を変更し、帽子を裏返した状態における頭部裏地のへりの部分や側面部分に開口口を設けた例を示す図である。
【考案を実施するための形態】
【実施例】
【００１１】  図１は本考案による帽子の実施例であり、ａは帽子を表す。【００１２】  図２〜図４のｂは帽子ａの裏地部分に設けた開口口を表す。【００１３】  前記開口口ｂから後述する防熱素材ｃを出し入れでき、帽子ａの裏地と帽子ａの表地の中心部１箇所を固定することで、防熱素材ｃの重みによる裏地の垂れ防止ができる。【００１４】  図４は開口口ｂが開いた時の様子である。この開口口ｂの部分は、挿入した防熱素材ｃが落ちないように重ね合わせた構造になっている。【００１５】  図５は防熱素材ｃの実施例である。防熱素材ｃは、例えば円形のシート状であり、ほぼ中心に向かって複数の切込みｄが設けられている。この切込みｄが有る事によって、防熱素材（シート）ｃが変形しやすくなり、開口口ｂから出し入れが容易となる。【００１６】  なお、防熱素材シートｃは、円形に限らず、隨円形や多角形など任意の形状とすることができる。【００１７】  図６は防熱素材ｃの側面図で、ｆは例えば輻射熱の侵入を抑えるアルミニウムを素材とした表面層である。ｅは少し厚みのある素材で例えば高分子ポリマー素材などからなる本体層であり、シリカゲルを含ませることで湿度を下げる事や、厚みのある発泡素材などを用いることで熱伝導性を防ぐことができる。【００１８】  帽子ａの裏地面の開口口ｂを開閉することで、防熱素材ｃを使用環境条件によって装着出来る。【００１９】  表１は、前記実施例における帽子裏地部分に設けた開口口ｂから、図５、図６に示すような防熱素材（シート）ｃを挿入した時の、帽子内の温度を測定した結果である。帽子内の温度は５℃前後抑えることが出来ている。
【表１】
0003220966.tif 000003
【００２０】  以上説明したように、この考案の実施例によれば、帽子ａの裏地部分に設けた開口口ｂから防熱素材ｃを挿入することで、頭部の温度上昇を抑制できる。この場合、防熱素材ｃは帽子ａの表地と裏地に収まることで、ずれが無く安定した状態である。又防熱素材ｃは容易に出し入れできるので、帽子ａを単独で洗濯できる。【００２１】  以上説明した実施例では、帽子頭部裏地部分に開口口ｂを設けたが、図７に示すように帽子ａの頭部裏地のヘリ部分に開口口ｊを設けても良い。また、帽子側頭部の裏地部分に開口口ｈを設けるようにしてもよい。さらに、前述の開口口ｂ（またはｊ）と開口口ｈの両方を設け、両方に防熱素材ｃを挿入したり、状況に応じて防熱素材ｃの挿入場所を選択できるようにすることもできる。
【符号の説明】
【００２２】ａ  帽子外観
ｂ  帽子裏地開口口
ｃ  防熱素材
ｄ  切込み
ｅ  防熱素材本体層
ｆ  防熱素材表面層
ｊ  帽子裏地開口口
ｈ  帽子裏地開口口
【図１】
0003220966.tif 000004
【図２】
0003220966.tif 000005
【図３】
0003220966.tif 000006
【図４】
0003220966.tif 000007
【図５】
0003220966.tif 000008
【図６】
0003220966.tif 000009
【図７】
0003220966.tif 000010
(57)【要約】      （修正有） 【課題】長尺の散水ホースを片手かつ少ない労力で巻き取って収容し、引き出し時も少ない労力で伸ばすことができるホース収納装置を提供する。【解決手段】台座１に固定された２本の逆Ｕ字状の支柱２に、ホース３を上部から８の字巻きにすることで、片手で巻き取りと引き出しが行える。また、巻いたホース３を台座１から上に引き抜き地面に置き、一気に伸ばす際も絡まらない。支柱２を両手で持つことで腰をかがめずに運搬でき、運搬時にホース３が片寄ることもない。【選択図】図２
0003220961.tif 000002
【実用新案登録請求の範囲】
【請求項１】
台座に２本の支柱を垂直に配置固定することを特徴とするホース収納装置
【請求項２】
前記支柱は、パイプあるいは棒を逆Ｕ字状に曲げてなる開口部を、前記台座に２本
並行して固定する形状を特徴とする、請求項1に記載のホース収納装置
【請求項３】
前記台座は、パイプあるいは棒で構成し、前記台座と前記支柱を溶接あるいはジョ
イントで接続することを特徴とする、請求項１または２に記載のホース収納装置
【請求項４】
前記台座は、合成樹脂で構成し、前記台座と前記支柱とを接合することを特徴とす
る、請求項１または２に記載のホース収納装置
【考案の詳細な説明】
【技術分野】
【０００１】
本考案は長尺の散水ホースを片手かつ少ない労力で巻き取って収容し、引き出し時も少
ない労力で伸ばすことができる形状のホース収納装置に関するものである。
【背景技術】
【０００２】
従来、散水ホースは、ドラムに巻き付けるホースリールに収納するか、水栓に巻き付け
るか、雑然と放置していた。
【先行技術文献】
【特許文献】
【０００３】
【特許文献１】実開平７−２３７６６  公報
【考案の概要】
【考案が解決しようとする課題】
【０００４】
ホースをドラムに巻いて収納するホースリールは、ハンドルを回しながらホースがよじ
れたり重ならないように巻き上げる必要がある。その際、ハンドルとホースを操作しなが
らホースリールが暴れないように同時に押さえるので繁雑である。また、ドラムの径が小
さく巻き取り効率が悪いので、長尺のホースの収納に不向きであった。
引き出す際もホースによじれや重なった個所があると、スムーズに引き出せずにホース
リールが転倒するなどして引き出しが一層困難になっていた。
【０００５】
また、ホースリールの持ち手の位置は低く、不自然に腰をかがめて持ち上げ運搬する必
要があった。
本考案は、このような問題に鑑みてなされたもので、これらの欠点を解決することを目
的とする。
【課題を解決するための手段】
【０００６】
前述した目的を達成するため、本考案にかかるホース収納装置は、台座に２本の支柱を
垂直に配置固定する形状を有する。
前記支柱は、パイプあるいは棒を逆Ｕ字状に曲げてなる開口部を台座に固定する。２本
の前記支柱は平行に配置される形状を有する。
【考案の効果】
【０００７】
本考案により、長尺のホースを片手かつ少ない力で巻き取り、引き出すことができる。
また、収納したホースをそのまま上に抜き取り地面に置くことで、絡まることもなくスム
ーズに一気に引き出せる。同時に、腰をかがめることなく両手で楽に運搬できる。運搬時
にホースが片寄ることもない。
【図面の簡単な説明】
【０００８】
【図１】本願発明に係るホース収納装置斜視図
【図２】本願発明に係るホース収納装置にホースを巻いた斜視図
【図３】本願発明に係るホース収納装置をパイプで構成した図
【図４】本願発明に係るホース収納装置を少ないパイプで構成した図
【考案を実施するための形態】
【０００９】
第１の手段は、ホースをドラムに巻き取るのではなく、上部から８の字巻きにする２本
の支柱を配置する形状である。
【００１０】
第２の手段は、８の字に巻くための２本の支柱の構造を逆Ｕ字状にして平行に配置する
ことで、巻き取り量を増やすことができ、運搬する際の両手の持ち手となって運搬時のホ
ースの片寄りを防止する形状である。
【実施例】
【００１１】
散水ホースを巻き取る前の本ホース収納装置の状態を図１に示す。
【００１２】
散水ホースを巻き取る際、図２の２本の支柱２の上部から、図２のホース３を、片手で
８の字に巻くように収納する。その際、力を入れずに緩く巻くことで、ホースの折れを防
ぐと同時に、図２の台座１からホース３を上部に抜き取ることが容易になる。ホースを少
しだけ引き出す際は、上部から８の字を片手で必要量だけ解いて使用する。
【００１３】
ホース全体を引き出して一気に伸ばしたい場合は、図２の台座１から、図２のホース３
を上部に抜き取って地面に置いて引っ張ると、絡まることなくスムーズに伸ばすことがで
きる。
【００１４】
ホースを運搬する際、図１の２本の支柱２を持つと、腰をかがめることなく両手で持ち
上げることができる。持ち上げる際、ホースが片寄ることもない。
【００１５】
図１の台座１を、図１の２本の支柱２と同じパイプで構成した場合の実施例を図３に示
す。板とパイプを接合するより、パイプ同士を接続する方が強度を得やすい効果がある。
【００１６】
前述の図３の実施例から、パイプの本数を減らして構成した場合の実施例を図４に示す
。コストダウンと軽量化の効果がある。
【符号の説明】
【００１７】
１  台座
２  支柱
３  ホース
【図１】
0003220961.tif 000003
【図２】
0003220961.tif 000004
【図３】
0003220961.tif 000005
【図４】
0003220961.tif 000006
(57)【要約】【課題】素材の違うナットを製作し、音質、音色、サスティーン、響き及びナットの耐久性を向上させるためのエレキギター・エレキベースのナットにする。【解決手段】アルミニウムとマグネシウムの鋳造合金を、切削加工したものを、取り付けることで解決した。【選択図】図１
0003220963.tif 000002
【実用新案登録請求の範囲】
【請求項１】
アルミニウムとマグネシウムを混合した鋳造物から成形し、エレキギター又はエレキベースに装着することで、音のクオリティーを向上させるためのナット。
【考案の詳細な説明】
【技術分野】
【０００１】本考案は、エレキギター・エレキベースの音質、音色、サスティーン（音の伸び）、響きの向上、フレットを押さえた時と開放での音質の同等化及び本考案品の耐久性を向上させるためのナットである。
【背景技術】
【０００２】従来エレキギター・エレキベースのナットには、樹脂やボーン（骨）が多く用いられている。
フレットを押さえた場合、金属素材のフレットを起点に発音させるため、樹脂やボーン素材のナットを起点とする開放時に発音させた時の音色の違いを同等レベルまで向上させる事ができるナットである。
【考案の概要】
【考案が解決しようとする課題】
【０００３】素材の違うナットを製作し、音質、音色、サスティーン、響き及びナットの耐久性を向上させるために本考案はなされたものである。
【課題を解決させるための手段】
【０００４】アルミニウムとマグネシウムを混合した超合金を鋳造し、本母体を切削によりナットを成形する。
【考案の効果】
【０００５】本考案を取り付けることにより、音質、音色、サスティーン、響きの向上  フレットを押さえた時と開放での音質の同等化、及びナットの耐久性が向上した。
【考案を実施するための形態】
【０００６】本考案は、アルミニウムとマグネシウムを混合した鋳造物を切削によりエレキギター又はエレキベースに装着することで音のクオリティーを向上させることができる。
【０００７】ギターのフレットを押さえた時と開放弦での音質を同等化することができる。
【０００８】本ナットの耐久性を向上させることができる。
【図面の簡単な説明】
【０００９】
【図１】本考案の立体図である。
【図２】本考案の正面からの断面図である。
【図３】本考案の側面方向からの断面図である。
【図４】本考案の上方向からの図である。
【図５】ナットの取り付け図である。
【図１】
0003220963.tif 000003
【図２】
0003220963.tif 000004
【図３】
0003220963.tif 000005
【図４】
0003220963.tif 000006
【図５】
0003220963.tif 000007
(57)【要約】      （修正有）【課題】光ファイバーの照明を利用した内視鏡カテーテルの構造に改良を加えた光ファイバー内視鏡カテーテルの構造を提供する。【解決手段】主に、光ファイバー繊維１１により信号線１２は被覆され、光ファイバー繊維１１及び信号線１２全体が、カテーテル１の外皮の内部に収容されることで、安定しているとともにバランスのとれた一体型の構造を形成し、それによりスペースをさらに有效利用することが可能になることで、さらに直径が小さい内視鏡カテーテルにも適用することができる。また、全体的にバランスのとれた構造であることで、カテーテルを曲げる際に、力が均等に分散され、使用者にとって操作しやすく、実用的な効果を高めることができる。【選択図】図１
0003220929.tif 000002
【実用新案登録請求の範囲】
【請求項１】
カテーテルの内部に複数の光ファイバー繊維と信号線が設けられる光ファイバー内視鏡カテーテルの構造であって、光ファイバー繊維は、信号線を完全且つ均一に被覆し、光ファイバー繊維及び信号線全体が、カテーテルの外皮の内部に収容されることを特徴とする、光ファイバー内視鏡カテーテルの構造。
【考案の詳細な説明】
【技術分野】
【０００１】
本考案は、光ファイバー内視鏡カテーテルの構造に関し、主に、光ファイバー繊維が信号線を直接被覆し、軸方向がカテーテル内部に設けられることで、カテーテル操作の安定性を向上させ、スペースを有効利用できるようにする新しい形態のカテーテル構造に関する。
【背景技術】
【０００２】
従来の内視鏡の機能は、人体への侵襲を最小限に抑えて検査または医療行為を行うため、内視鏡の構造には、人体の空洞部に挿入且つ延在することのできる細長い形状の塑性カテーテルがいずれにも含まれているとともに、照明構造と撮影装置を組み合わせることで体内の画像を取得し、その画像を信号線で外部に連結且つ送信する。従来の照明構造は、光ファイバー束の構造により、カテーテルの内部に貫通されることで、光源を送信して照らしており、その設置方法は、いずれも独立した構造であるため、カテーテルにおいて、光ファイバー束と信号線がカテーテル内部に散布する場合、非常に雑然としているため、カテーテルの直径を効果的に縮小することが困難であるとともに、カテーテルを操作して曲げる際に、内部の構造のバランスが悪いことにより、偏りが生じやすいという欠点が存在するため、改善が必要とされている。
【考案の概要】
【考案が解決しようとする課題】
【０００３】
本考案は、主に、光ファイバーの照明を利用した内視鏡カテーテルの構造に改良を加えた光ファイバー内視鏡カテーテルの構造を提供することを目的とする。
【０００４】
光ファイバー内視鏡カテーテルの構造は、光ファイバー繊維で信号線を完全に被覆し、光ファイバー繊維及び信号線全体が、カテーテルの外皮の内部に収容されることで、安定しているとともにバランスのとれた一体型の構造が形成され、それにより、スペースをさらに有效利用することが可能になることで、直径がさらに小さい内視鏡カテーテルにも適用することができる。また、全体的にバランスのとれた構造であることで、カテーテルを曲げる際に、力が均等に分散され、使用者にとって操作しやすく、実用的な効果を高めることができる。
【図面の簡単な説明】
【０００５】
【図１】本考案の断面図である。
【考案を実施するための形態】
【０００６】
参照する図１に示す通り、本考案は、光ファイバー内視鏡カテーテルの構造であり、カテーテル１の内部には、複数の光ファイバー繊維１１と信号線１２が設けられ、光ファイバー繊維１１は、信号線１２を完全且つ均一に被覆し、光ファイバー繊維及び信号線全体は、カテーテル１の外皮の内部に収容されることで、安定しているとともにバランスのとれた、完全に対称をなした一体型の構造が形成される。
【０００７】
上述の実施例についての説明から分かる通り、本考案のカテーテル１は、内部が完全に対称をなしているとともに、バランスのとれた状態であり、円形に配置することで、スペースを最も好ましく有效利用することが可能になるため、内視鏡カテーテルの直径を最小化することができる。よって、医療行為を行う際に、体の不快感をさらに小さくすることができる。さらに、カテーテル全体のバランスのとれた構造により、カテーテルが曲げられる際に、力が均等に分散されることで、使用者にとって操作しやすく、実用的な効果を高めることができる。
【符号の説明】
【０００８】
１  カテーテル
１１  光ファイバー繊維
１２  信号線 
【図１】
0003220929.tif 000003
(57)【要約】      （修正有）【課題】切り口を見つけやすく、使いやすくしたトイレットペーパーホルダーを提供する。【解決手段】ペーパーホルダーの紙切版１Ａの切り口１Ｂを波型にした。切り口を早く見つけることができるようになった。【選択図】図１
0003220079.tif 000002
【実用新案登録請求の範囲】
【請求項１】
トイレのペーパーホルダーのペーパー使用時にペーパーを切った後、まっすぐに切れるので、それを改善するために紙切板の切り口を波型にし、先端部分を取りやすくした改良式ペーパーホルダー。
【考案の詳細な説明】
【技術分野】
【０００１】本考案は、ペーパーホルダーに関するものである
【背景技術】
【０００２】  トイレットペーパーをペーパーホルダーに、はめ込み使用する時に先端部分が見つけにくいものであった。
【考案の概要】
【考案が解決しようとする課題】
【０００３】従来のペーパーホルダーでは紙の切り口が見つけにくいものであった。紙切板の切り口を波型にする事によって見つけやすくするものである。
【課題を解決するための手段】
【０００４】トイレのペーパーホルダーの使用時に、ペーパーを切った後まっすぐに切れるので、それを改善するため切り口を波型にする事によりとりやすくしたペーパーホルダー。
【考案の効果】
【０００５】今までは切口を見つけるのに時間がかかっていたが、今回の考案により早く見つける事が出来る
【図面の簡単な説明】
【０００６】
【図１】本考案のペーパーホルダーの一実施例を示す図で有って、（１）は本考案のペーパーホルダーの斜視図である。
【図２】本考案の紙切板の図である。
【図３】本考案の完成図である。
【考案を実施するための形態】
【０００７】ホルダーの紙切板の切り口を波型にした事により早く紙の切り口を見つけられるようにする。
【実施例】
【０００８】  紙切板の切り口の波型は３山とし、両サイド山はポルダーの寸法により振り分けて寸法を決める。【０００９】本考案の一実施例は上記の構成からなるもので、トイレットペーパーの切断部分を改良したものであるから、より便利に使用できる。
【符号の説明】
【００１０】１００）  トイレのペーハーホルダー
１）１Ａ  紙切板
２）１Ｂ  紙切板の切り口
３）１Ｃ  本体右側
４）１Ｄ  本体左側
【図１】
0003220079.tif 000003
【図２】
0003220079.tif 000004
【図３】
0003220079.tif 000005
(57)【要約】      （修正有）【課題】壁面に取り外し式に取り付けられ、鏡の方を顔に近づけて映し見る事が出来るアーム型ミラーを提供する。【解決手段】鋼板入りのユニットバス壁面に取り付けられる鏡であり、壁面に直接取り付けられる長方形板基台１の取付け面には磁石１０が埋設され壁面と磁着固定し、上面のアーム取付け面７は一端が高く段差状に形成されてストッパー部８が設けられ、段差の根元際に一端を軸支したアーム２が設けられ、壁面とストッパー部８との９０度領域を自由に回動するアームは他端にミラー回動部９を設け、ミラー回動部９に取り付けた鏡は全方向的に回動する。【選択図】図２
0003220075.tif 000002
【実用新案登録請求の範囲】
【請求項１】
鋼板入りのユニットバス壁面に取り付けられる鏡であって、壁面に直接取り付けられる横長の略長方形板の基台と、基台に取り付けられるアームと、アーム先端に設けたミラー回動部と、ミラー回動部に取り付けられる鏡から成るアーム型ミラーであり、設置する壁面に接した面を取付け面と称し、反対側の面を前面と称し、上面をアーム取付け面と称し、アーム取付け面を上に向けて使用されるが、取付け面には磁石が埋設されて壁面にピッタリ磁着固定され、アーム取付け面は一端側だけ少し高く段差状にストッパー部が形成されており、段差の根元際にアームの一端が軸支固定され、アームは設置される壁面と段差壁面との間の９０度領域を自由に回動するのであり、アームにおける壁面対向面の中央付近に磁石が凸設されてアーム磁着部が設けてあり、アーム他端にはミラー回動部が設けられ、鏡はミラー回動部を介して回動的にアームに取付けられていることを特徴とするアーム型ミラー。
【請求項２】
基台の前面にＴ字のシェーバーを保持するシェーバーホルダーを設けたことを特徴とする請求項１に記載のアーム型ミラー。
【考案の詳細な説明】
【技術分野】
【０００１】  本考案は、浴室壁面の裏に「鋼板」のような磁性材が入っているユニットバスの壁に取付けて使用されるアーム型ミラーに関するものである。
【背景技術】
【０００２】浴室壁面に既設の鏡は、座った状態での上半身即ち主に顔を映し見て用を成すものであり、固定設置が普通である。
【考案の開示】
【考案が解決しようとする課題】
【０００３】髭を剃る時、鏡は壁面に固定してあるので、顔を近づけなければならない。
また、垂直に設置された鏡面は、顔面を下方向や横方向から映し見る時には不便である。
本考案は以上の問題点を解決しようとするものである。
【課題を解決するための手段】
【０００４】  鋼板入りのユニットバス壁面（以下、壁面と称す）に取付けられる鏡であって、壁面に直接取付けられる横長の略長方形板の基台と、基台に取り付けられるアームと、アーム先端に設けられるミラー回動部と、ミラー回動部に取り付けられる鏡から成るアーム型ミラーであり、設置する壁面に接した面を取付け面と称し、磁石が埋設されて壁面にピッタリ磁着固定され、反対側の面を前面と称し、上面をアーム取付け面と称し、このアーム取付け面を上に向けて使用されるが、
アーム取付け面は、一端側だけ少し高く段差状にストッパー部が形成されており、段差の根元際にアームの一端が軸支固定され、アームは設置される壁面と段差壁面との間の９０度領域を自由に回動するのであり、アームにおける壁面対向面の中央付近に磁石が凸設されてアーム磁着部が設けてあり、アーム他端にはミラー回動部が設けられ、鏡はミラー回動部を介してアームに取り付けられ全方向的に回動する。
以上を特徴とするアーム型ミラーである。
【考案の効果】
【０００５】  基台は壁面に取り外し式に取り付けられ、鏡の方を身体近くへ寄せ、自由に回動させて横からでも下からでもアップした顔を仔細に映し見る事が出来る。
また、壁面の都合でアームが左右に回動出来ない所でも基台を縦長に設置し、ストッパー部を下にした形で磁着固定させれば、アームは壁面とストッパー部壁面との９０度領域を上下に回動する事が出来るのであり、使用しない時は、アームに設けたアーム磁着部を壁面にピッタリ磁着固定させておくことで出っ張る事無く邪魔にならない。
【図面の簡単な説明】
【０００６】
【図１】  本考案の斜視図
【図２】  本考案においてアームと鏡裏面とを接続するミラー回動部を見せるために取付け面側から見た正面図
【図３】  本考案の使用中の一例を示したイメージ図
【図４】  本考案の実施例を示す斜視図
【図５】  本考案において、図３に示された本考案を縦に設置した使用例を示すイメージ図
【図６】  本考案の使用中の一例を示したイメージ図
【考案を実施するための形態】
【０００７】  以下、本考案の実施の形態を説明する。
基台（１）は、図１で示すように縦幅約６０ミリ×横幅約１５０ミリ・厚み約２０ミリの略長方形板であり、図２で示すように設置する壁面に接した面を取付け面（５）と称し・反対側の面を前面（６）と称し、上面をアーム取付け面（７）と称し、このアーム取付け面（７）を上に向けて使用を成す。
図２で示すように取付け面（５）には磁石（１０）が埋設されて、壁面にピッタリ磁着固定される。
図１で示すようにアーム取付け面（７）は、一端側だけ約１０ミリ高く段差状にストッパー部（８）が形成されており、段差の根元際にアーム（２）の一端が軸支固定され、アーム（２）は壁面とストッパー部（８）段差壁面との間の９０度領域を自由に回動するのであり、図２で示すようにアーム（２）における壁面対向面の中央付近に磁石が凸設されてアーム磁着部（１１）が設けてある。
鏡は図２で示すように、鏡裏面（４）が球体ジョイント等のミラー回動部（９）と接続を成し、壁面と相反方向に向けて設けられる鏡表面（３）は、図３で示すようにミラー回動部を介して全方向的に回動する。
本考案は以上のような構成である。
本考案を使用する時は、壁面の都合のよい位置に取付け面（５）に設けた磁石（１０）で磁着固定させる。
次ぎに、図６で示すように、鏡表面（３）を身体近くに寄せて、アーム（２）先端に設けたミラー回動部（９）を介して鏡表面（３）の位置・角度を適当に動かして顔（１４）を映し見る。
また、基台（１）を図５で示すように、ストッパー部（８）を下にした縦長の形で使用すれば、アーム（２）を上下に回動する事が出来るのであり、壁面の状況に応じて設置できる。
また、使用しない時はアーム（２）の壁面対向面に設けたアーム磁着部（１１）を壁面に磁着固定させ、鏡を回動して壁面から大きく出張らないように添わせれば邪魔にならない。
【０００８】    また、図４で示すように、基台（１）の前面（６）にＴ字シェーバー（１２）を保持するシェーバーホルダー（１３）が設けられる。
【符号の説明】
【０００９】１  基台、  ２  アーム、  ３  鏡表面、  ４  鏡裏面、  ５  取付け面、
６  前面、  ７  アーム取付け面、  ８  ストッパー部、
９  ミラー回動部、  １０  磁石、  １１  アーム磁着部、
１２  Ｔ字シェーバー、  １３  シェーバーホルダー、  １４  顔
【図１】
0003220075.tif 000003
【図２】
0003220075.tif 000004
【図３】
0003220075.tif 000005
【図４】
0003220075.tif 000006
【図５】
0003220075.tif 000007
【図６】
0003220075.tif 000008
(57)【要約】【課題】眼鏡の鼻あてに悪影響を及ぼさないで、眼鏡のずれ落ちを防止するとともに、鼻の表皮を清潔に保つことを可能とするパッドを提供すること。【解決手段】パッド１は、眼鏡１００の鼻あて１１０に装着され、２つ折りにされた状態の布１０の互いに対向する側縁の端部が固着された一対の固着部２０と、一対の固着部２０の間に形成された開口部３０とを有し、開口部３０から２つ折りにされた状態の布１０の間に、鼻あて１１０を挿入可能である。【選択図】図１
0003220076.tif 000002
【実用新案登録請求の範囲】
【請求項１】
眼鏡の鼻あてに装着されるパッドであって、２つ折りにされた状態の布の互いに対向する側縁の端部が固着された一対の固着部と一対の固着部の間に形成された開口部とを有し、開口部から２つ折りにされた状態の布の間に、鼻あてを挿入可能なパッド。
【考案の詳細な説明】
【技術分野】
【０００１】眼鏡の鼻あてに装着されるパッドに関する。
【背景技術】
【０００２】ユーザの鼻にフィットしてユーザは痛みを感じることなく快適に眼鏡を使用し続けることができ、眼鏡のずり落ちを防止するとともに、鼻の表皮を清潔に保って、腫れの発生を抑制するために、眼鏡Ｇの鼻あてＮＰの鼻あて面に追加して取り付けられる追加用のパッド１００であって、発泡ウレタン樹脂で形成されたパッド本体部１１０と、パッド本体部１１０における鼻あて接触面に粘着剤で形成された粘着層１２０と備えている眼鏡の鼻あて追加用パッド１００が提案されている（特許文献１）。
【先行技術文献】
【特許文献】
【０００３】
【特許文献１】特開２０１８−１５１４２６号公報
【考案の概要】
【考案が解決しようとする課題】
【０００４】しかしながら、特許文献１のパッドでは、鼻あてに粘着剤という素材を用い固定する形態をとっており、粘着成分が眼鏡の鼻あてに悪影響を及ぼす可能性がないとは言い切れない。【０００５】本考案は、眼鏡の鼻あてに悪影響を及ぼさないで、眼鏡のずれ落ちを防止するとともに、鼻の表皮を清潔に保つことを可能とするパッドを提供することを目的とする。
【課題を解決するための手段】
【０００６】眼鏡の鼻あてに装着されるパッドであって、２つ折りにされた状態の布の互いに対向する側縁の端部が固着された一対の固着部と一対の固着部の間に形成された開口部とを有し、開口部から２つ折りにされた状態の布の間に、鼻あてを挿入可能なパッド。
【考案の効果】
【０００７】本考案によれば、眼鏡の鼻あてに悪影響を及ぼさないで、眼鏡のずれ落ちを防止するとともに、鼻の表皮を清潔に保つことを可能とするパッドを提供できる。
【図面の簡単な説明】
【０００８】
【図１】本考案の実施形態に係るパッドを眼鏡の鼻あてに装着した状態を示している。
【図２】本考案の実施形態に係るパッドを開口部側から視た図である。
【考案を実施するための形態】
【０００９】本考案の実施形態に係るパッド１は、眼鏡１００の鼻あて１１０に装着され、２つ折りにされた状態の布１０の互いに対向する側縁の端部が固着された一対の固着部２０と、一対の固着部２０の間に形成された開口部３０とを有し、開口部３０から２つ折りにされた状態の布１０の間に、鼻あて１１０を挿入可能である。
【００１０】パッド１は以下のような作用・効果を奏する。
「眼鏡の鼻あて」と「（鼻あてが当たる）鼻の表皮」、両方の清潔さを保つ。
眼鏡の鼻あてによる、皮膚の圧迫を和らげる。
眼鏡の鼻あてによる、汗・皮脂の不快感を和らげる。
素材をシルク繊維とすることで、吸湿・通気・保温に優れ、人肌の成分に近いたんぱく質でできた天然繊維は、人体に安全である。
シルク繊維は、風合いがしなやかで美しく、清潔感がある。
パッド１の着脱に工具は不要であり、また眼鏡購入時の鼻あてを付け替える必要もない。
【００１１】また、シルク繊維の特徴として、綿の１．５倍の吸水性があり、繊維自体が多孔質構造をしているため、多くの空気を内包することができる。
鼻あて及び鼻の表皮の清潔さを保ちづらい要因として、「鼻あてが、体内から排出される汗・皮脂（油）を鼻の表皮に押し付けたままにする形態であること」と、「鼻あての、日常における掃除の難しさ」が挙げられる。
鼻あての掃除の難しさとは、まずメガネフレーム（リム）と鼻あてを繋ぐ「パッドアームに指を入れるのが困難である」ため、鼻あての汚れを取るために必要とされる、十分な力を鼻あてに加えることができない。また水洗いでは、水分による湿気が、眼鏡の劣化に繋がらないか心配である。そして、銅合金等パッド素材によっては、金属の酸化による錆（緑青等）が出てくる場合があり、その除去も厄介である。
結果、鼻あてを清潔に保つためには、「最初からできる限り汚れを寄せ付けず」、「鼻あての劣化、主に酸化の素となる酸素（Ｏ２）に気を配る必要」があり、その解決策がパッド１である。
【００１２】なお、固着部２０は、開口部３０の両端のみに設けてもよいし、両側縁に設けてもよい。
固着部２０を開口部３０の両端のみに設けた場合、鼻あての大きさ・形状の違いに対する許容範囲が広くなる。
また、上下を縫い合わせないことでパッド１が動くので、眼鏡の鼻あて１１０に無理な力がかかりにくい。
そして、鼻あてから着脱しやすい。
一方、固着部２０を両側縁にも設けた場合、
鼻あてを完全に覆うことにより、鼻あてへの汚れの付着を完全に遮断できる。
眼鏡をかけている間、パッド１が鼻あてからずれ落ちる心配がなく、より激しい身体動作に対応可能である。
【符号の説明】
【００１３】１  パッド
１０  布
２０  固着部
３０  開口部
１００  眼鏡
１１０  鼻あて
【図１】
0003220076.tif 000003
【図２】
0003220076.tif 000004
(57)【要約】      （修正有）【課題】指間部に貼付するのに適しまた、トング系サンダルや下駄を素足に履いたときの指間部の鼻緒ずれを防止する絆創膏を提供する。【解決手段】略Ｙ字形をした絆創膏とする。【選択図】図１
0003220044.tif 000002
【実用新案登録請求の範囲】
【請求項１】
略Y字形をした絆創膏
【請求項２】
指間部保護用である請求項１に記載の絆創膏
【考案の詳細な説明】
【技術分野】
【０００１】
本考案は略Ｙ字形の絆創膏に関する。
【背景技術】
【０００２】
従来、最も一般的な略長方形(通常、小判形）の絆創膏が知られている。また指先に貼るのに適した略Ｔ字形や略十字形（略Ｘ字形)も知られており、例えば特許文献１や特許文献２がある。しかし、指間部(指の股）に貼るのに適した絆創膏は知られていない。
【０００３】
また、トング系サンダルや下駄を素足で履くとき指間部や足の左右側面近くに鼻緒ずれが起きることがあるが、これを防止する絆創膏はなかった。
【先行技術文献】
【特許文献】
【０００４】
【特許文献１】実開昭52-147778
【特許文献２】実開昭52-155771
【考案の概要】
【考案が解決しようとする課題】
【０００５】
本考案は指間部に貼付するのに適した絆創膏を提供することを課題とする。また、トング系サンダルや下駄を素足に履いたときの指間部の鼻緒ずれを防止する絆創膏を提供することを課題とする。
【課題を解決するための手段】
【０００６】
絆創膏の形を略Y字形にする。このことにより指間部に貼付しやすく、かつ剥がれにくくなる。
【０００７】
本考案の絆創膏の基材には公知のものを用いることができる。例えば、軟質ポリ塩化ビニルフィルム、エチレン−酢酸ビニル共重合体フィルム、ポリウレタンフィルムなどの高分子フィルム、あるいはナイロン不織布、ポリエステル不織布、ポリウレタン不織布などの不織布を用いることができる。基材に柔軟性があることからポリウレタン不織布が好ましいがこれに限定されない。またこれらの基材を２層以上積層して用いることもできる。
【０００８】
本考案の絆創膏のパッドには公知のものを用いることができる。例えば、特殊織布、ガーゼ、不織布などを使用することができる。パッドには殺菌剤等の薬剤をしみ込ませてもよい。また、パッドは必ずしも用いる必要はなく、パッドなしでも指間部の保護をすることができる。
【０００９】
本考案の絆創膏の粘着剤には公知のものを用いることができる。例えば、アクリル系粘着剤、ゴム系粘着剤、シリコン系粘着剤などを用いることができる。コストの面からアクリル粘着剤が好ましいがこれに限定されない。
【００１０】
本考案の絆創膏の粘着面には、常法に従って、剥離ライナーを貼り合わせても良い。剥離ライナーとしては公知のものを用いることができる。例えば、クレープ状セロハン、ポリエステルフィルム、ポリオレフィン系フィルムに剥離処理を施したものや、剥離紙などが挙げられるがこれらに限定されない。
【考案の効果】
【００１１】
本考案の絆創膏は指間部に貼付しやすく、トング系サンダルや下駄を素足に履いたときの指間部の鼻緒ずれを防止する。
【図面の簡単な説明】
【００１２】
【図１】本考案の絆創膏の一例を粘着剤側から見た図である。
【図２】本考案の絆創膏の一例を横から見た模式図である。
【図３】鼻緒ずれが起こりやすい箇所を示す図である。
【考案を実施するための形態】
【００１３】
以下に本考案の実施形態を記載するが、本考案は以下の実施形態だけに限定されるものではない。
【００１４】
図１に示すように絆創膏の形状を略Y字形とする。使用する際には、手または足の指間部にパッドが当たるように貼付する。
【００１５】
また、トング系サンダルや下駄を素足に履いたときの鼻緒ずれは図３の白丸で囲んだ部分に起こりやすい。そこで、本考案の絆創膏を足の親指と人差し指の指間部にパッドが当たるように貼る。このときY字の下半分(１本)を足の裏側に貼り、Y字の上半分(２本)を足の甲側に鼻緒に沿うように貼る。これによって、指間部の鼻緒ずれが防止できるとともに、足の両側面の鼻緒ずれも防止できる。さらに、絆創膏が鼻緒の下に隠れるので絆創膏を貼っているのが目立たないという効果もある。
【産業上の利用可能性】
【００１６】
本考案は指間部用絆創膏として利用することができる。
【符号の説明】
【００１７】
１．パッド
２．粘着剤
３.基材
【図１】
0003220044.tif 000003
【図２】
0003220044.tif 000004
【図３】
0003220044.tif 000005
(57)【要約】【課題】  家庭内で用いられる水筒等の筒状縦長容器の内部の残存水分を短時間で容易に除去することができるようにする乾燥具である。【解決手段】  細長プレート状の多孔質セラミック固形体２の外周にシリコンゴム製の枠体３を組み付けた構成で、水分の残存する縦長容器内に入れておくと、その水分を多孔質セラミック固形体２が確実に吸収し、細長プレート状であるために縦長容器内の底から口筒にまで行きわたって乾燥させることができ、脆弱な多孔質セラミック固形体２の外周にシリコンゴム製の枠体３を組み付けてあるので破損しにくく、また枠体３自体がクッション材となるので容器自体を傷めることもない。【選択図】        図１
0003220049.tif 000002
【実用新案登録請求の範囲】
【請求項１】
細長プレート状の多孔質セラミック固形体（２）の外周にシリコンゴム製の枠体（３）を組み付けたことを特徴とする乾燥具。
【考案の詳細な説明】
【技術分野】
【０００１】
本考案は、縦長な容器内の水分を除去するための乾燥具である。
【背景技術】
【０００２】
家庭内で身近に扱う用品の一つとして、水筒をはじめとする筒状の縦長容器がある。これ等の容器では、使用後に水で洗浄した内部の残存水分を除去するために開口状態で倒立させている。しかしながら、この除去は温度や乾燥度にもよるが少なからずの時間がかかっており、例えば水筒に茶を入れようとしたときに前回の使用後の水分が残っているといったことが多々見られる。
【０００３】
吸湿を達成するために例えば以下の如き発明の提案がある。
【先行技術文献】
【特許文献】
【０００４】
【特許文献１】特許第３３６８２７８号公報
【特許文献２】特許第３９７３０８１号公報
【考案の概要】
【考案が解決しようとする課題】
【０００５】
しかしながらこれらの発明は、建築材、室内の乾燥を目的とするもので、家庭内で手軽に使用されるものではない。
【０００６】
よって本考案は、上述した従来技術の欠点、不都合、不満を解消するべく開発された乾燥具であって、家庭内で用いられる水筒等の筒状縦長容器の内部の残存水分を短時間で容易に除去することを目的とする。
【課題を解決するための手段】
【０００７】
上記課題を解決するため本考案の乾燥具は、細長プレート状の多孔質セラミック固形体の外周にシリコンゴム製の枠体を組み付けたことを特徴とする構成である。
【考案の効果】
【０００８】
内部に無数の微細な孔が空いているファインセラミックスとして知られる多孔質セラミックスは極めて吸・放湿性に優れている。従って本考案に係る乾燥具を水分の残存する縦長容器内に入れておくと、その水分を多孔質セラミック固形体が確実に吸収し、細長プレート状であるために縦長容器内の底から口筒にまで行きわたって乾燥させることができるのである。
【０００９】
多孔質セラミックスは脆弱な点があるのは否めないのであるが、本考案では多孔質セラミック固形体の外周にシリコンゴム製の枠体を組み付けてあるので破損しにくく、また枠体自体がクッション材となるので容器自体を傷めることもない等、本考案は多くの優れた作用効果を奏する。
【図面の簡単な説明】
【００１０】
【図１】本考案の斜視図である。
【図２】本考案の中央縦断面図である。
【図３】使用状態の斜視図である。
【考案を実施するための形態】
【００１１】
本考案の乾燥具1は、多孔質セラミック固形体２の外周にシリコンゴム製の枠体３を組み付けた構成である。
【実施例】
【００１２】
焼結したファインセラミックである多孔質セラミック固形体２は細長プレート状であって、吸・放湿量に優れ且つ吸水速度にも秀でている。同様の効果を有する珪藻土を採用しても良いであろう。また、家庭用品としての用途に鑑み、淡いブルー、ピンク、アイボリー等に着色すると外観体裁の良いものになる。
【００１３】
枠体３は弾性伸縮変形が可能なシリコンゴムが用いられ、多孔質セラミック固形体２を確実に保持しながらも可能な限り露出させることができる程度の組み付きが求められる。
【００１４】
そして、使用後に吸湿した水分を簡単に放湿できるようにリング４を設け、所定箇所に引っ掛けることができるようにしている。
【００１５】
本考案の乾燥具1の使用対象としては前述したように水分が残存する水筒等の縦長容器が適しているが、靴やブーツなどにも適用できる。
【符号の説明】
【００１６】
１  乾燥具
２  多孔質セラミック固形体
３  枠体
４  リング
【図１】
0003220049.tif 000003
【図２】
0003220049.tif 000004
【図３】
0003220049.tif 000005
(57)【要約】      （修正有）【課題】汚れても、何回でも使用が可能であり、しかも安価に製造可能な二人羽織余興に用いられる衣装を提供する。【解決手段】矩形状の着色した不透明の前面シート２ａと、これと同形の着色した不透明の背面シートとを備え、これら２枚のシートは、対面配置され、縁部が接合されて、前後に並んだ演者二人の少なくとも上半身が入ることが可能な広さの下部が開放された包囲部が形成されている。前面シート２ａの上部には、包囲部の中の前側の演者が顔を外に出すための開口部１２を設け、包囲部の上部の両側に、包囲部内の後ろ側の演者が両手を外に出すための袖口１４，１６が設けられている。【選択図】図１
0003220012.tif 000002
【実用新案登録請求の範囲】
【請求項１】
矩形状の着色した不透明の前面シートと、これと同形の着色した不透明の背面シートとを備え、これら２枚のシートを対面配置し、これら２枚のシートの縁部を接合して、前後に並んだ演者二人の少なくとも上半身が入ることが可能な広さの下部が開放された包囲部を形成し、前面シートの上部に、包囲部内の前側の演者が顔を外に出すための開口部を設け、包囲部の上部の両側に、包囲部内の後ろ側の演者が両手を外に出すための袖口を設けたことを特徴とする二人羽織余興用衣装。
【考案の詳細な説明】
【技術分野】
【０００１】
本考案は、二人羽織の余興に用いられる衣装に関する。
【背景技術】
【０００２】
一人が肩に羽織った羽織の背中にもう一人がもぐり込み、両手を袖に通して、手探りで前の人に飲食をさせたりする芸が従来、二人羽織として知られている。
【考案の概要】
【考案が解決しようとする課題】
【０００３】
二人一緒で羽織に入り、後ろの人が前の人の「手の役」を演じて、ケーキやおそばを食べたり、お化粧したりする余興を結婚式の２次会や男女が集まるパーティで演じる際、本物の羽織を使用すると、使用した羽織が飲み物や食べ物汚れてしまうという問題点がある。
本考案は、飲み物や食べ物が付いて汚れても何回でも使用することができ、しかも安価に製造可能な二人羽織余興用衣装を提供することを目的とする。
【課題を解決するための手段】
【０００４】
上記目的を達成するため、本考案は、矩形状の着色した不透明の前面シートと、これと同形の着色した不透明の背面シートとを備え、これら２枚のシートを対面配置し、これら２枚のシートの縁部を接合して、前後に並んだ演者二人の少なくとも上半身が入ることが可能な広さの下部が開放された包囲部を形成し、前面シートの上部に、包囲部内の前側の演者が顔を外に出すための開口部を設け、包囲部の上部の両側に、包囲部内の後ろ側の演者が両手を外に出すための袖口を設けたことを特徴とするものである。
【考案の効果】
【０００５】
本考案は、飲み物や食べ物を付けても何回でも使用することができ、しかも構造が簡単で安価に製造できるという効果がある。
【図面の簡単な説明】
【０００６】
【図１】全体正面図である。
【図２】Ａ−Ａ線断面図である。
【図３】底面図である。
【図４】左側面図である。
【図５】右側面図である。
【考案を実施するための形態】
【０００７】
以下に本考案の構成を添付した図面を参照して詳細に説明する。
図１は、本考案に係る二人羽織の余興に用いられる衣装の正面図を示している。
衣装の本体２は、前面シート２ａとこれに対面して配置された背面シート２ｂとから構成され、これらは、ビニール、布、紙等のシート材が用いられている。
【０００８】
前面シート２ａと背面シート２ｂは、略同じ横長の矩形に形成され、互いに対面配置された状態で上縁部４と、左右の側縁部６，８がライン状に接合され、衣装本体２は、下縁部１１が開放された包囲部１０を構成している。
包囲部１０は、シートの柔軟性により変形自在に構成され、その寸法は、通常の体格の二人の大人が前後に並んで中に入ることができるように設定され、且つ、包囲部１０の中に入った二人演者の上半身と下半身の上部が納まるように設定されている。
【０００９】
前面シート２ｂには、包囲部１０の中に入った演者の一人が顔を出すための開口部１２が形成されている。前面シート２ａと背面シート２ｂの左右の接合部の上部には、上半身を包囲部１０の中に入れた二人の演者の中の後ろ側の一人が両手を出すための袖口１４，１６が形成されている。
【００１０】
前面シート２ａと背面シート２ｂは、全体が着色されて不透明となっている。前面シート２ａには、羽織のはかまの模様１８がプリントされている。  
本実施形態では、二人の大人が上半身を余裕をもって本体２に被せることができるように前面シート２ａと背面シート２ｂの横幅は約１１０ｃｍ、縦幅は約８６ｃｍに設定されている。
【００１１】
なお、本考案の実施に際し、本考案はこれらの寸法に特に限定されるものではなく、任意に設定することが可能である。
次に、本衣装の使用方法について説明する。
まず、一人の演者が頭から本体２の包囲部１０の中に入り、開口部１２から顔を出す。
【００１２】
次に、もう一人の演者が包囲部１０の中の人の後ろから、包囲部１０の中に上半身を入れて、袖口１４，１６に手を通す。該状態で、後ろ側の演者が、顔を開口部１２から外に出している前側の演者に物を食べさせたりその他、さまざまな余興やゲームを行う。
【符号の説明】
【００１３】
２    本体
２ａ  前面シート
２ｂ  背面シート
４    上縁部
６    側縁部
８    側縁部
１０  包囲部
１１  下縁部
１２  開口部
１４  袖口
１６  袖口
１８  模様
【図１】
0003220012.tif 000003
【図２】
0003220012.tif 000004
【図３】
0003220012.tif 000005
【図４】
0003220012.tif 000006
【図５】
0003220012.tif 000007